(57)【要約】【課題】本発明は、スイッチ切り換え状態における携帯電話画面の点滅問題を解決し、且つ、電気回路の高力率を実現し、調整を実現し易く、電気回路構造が簡単で、コストが低い。また、電解コンデンサー処理モジュールの電解コンデンサーで携帯電話画面のストロボ成分を除去することによって、ストロボ現象を避けると共に、作動入力電圧の範囲を広げることができる。さらに、第三定電流コントロール処理モジュールにより、電解コンデンサーによる光源への給電時間を延長し、光強度を更に増加させることができる。【解決手段】本発明の実施形態に基づく携帯電話の画面輝度制御装置は、携帯電話の画面光源、サイリスタ調光器、整流処理モジュール、第一定電流コントロール処理モジュール、第二定電流コントロール処理モジュール、電解コンデンサー処理モジュール、第三定電流コントロール処理モジュールを含み、第一定電流コントロール処理モジュールによりサイリスタ調光器の導通を維持するための陽極正方向電流を提供することができる。【選択図】図２
2018107101.tif 000002
【特許請求の範囲】
【請求項１】
携帯電話画面表示処理ユニットを含む携帯電話の画面輝度制御装置であって、
前記携帯電話画面表示処理ユニットに接続される携帯電話の画面輝度制御ユニットを含み、
前記携帯電話の画面輝度制御ユニットは、携帯電話の画面光源と、整流処理モジュールと、サイリスタ調光器と、第一定電流コントローラと、第二定電流コントローラと、第三定電流コントローラと、電解コンデンサーと、整流ダイオードと、第一サンプリング抵抗と、第二サンプリング抵抗と第三サンプリング抵抗とを含み、
前記整流処理モジュールが前記サイリスタ調光器を介して外部接続電源に接続され、前記整流処理モジュールの非反転出力端が前記第一定電流コントローラの一端及び前記整流ダイオードの陽極に接続され、前記整流処理モジュールの反転出力端が前記第一定電流コントローラの他端に接続されてから接地され、前記第一定電流コントローラの制御端Ａが前記第一サンプリング抵抗と第二サンプリング抵抗により接地され、前記第一サンプリング抵抗がＣ点により前記第二サンプリング抵抗に接続され、前記整流ダイオードの陰極が第三定電流コントローラの一端及び前記第一電解コンデンサーの正極に接続され、前記第三定電流コントローラの他端が前記光源の陽極に接続され、かつ、前記第三定電流コントローラの制御端Ｄが第三抵抗により前記光源の陽極に接続され、前記電解コンデンサーの負極が前記光源の陰極及び第二定電流コントローラの一端に接続され、前記第二定電流コントローラの他端が接地され、かつ、前記第二定電流コントローラの制御端Ｂが前記第二サンプリング抵抗により接地され、
前記第一定電流コントローラの制御端は、Ａ点の電圧がＣ点の電圧を上回る場合、前記第一定電流コントローラをオンすることによって、前記サイリスタ調光器の導通を維持するのに必要な陽極正方向電流を提供し、整流後の母線電圧が前記光源の導通電圧の降下量を下回る場合、前記電解コンデンサーが前記光源に給電することを特徴とする携帯電話の画面輝度制御装置。
【請求項２】
前記整流処理モジュールがブリッジ整流器であることを特徴とする請求項１に記載の装置。
【請求項３】
外部接続電源に接続される入力制御スイッチをさらに含む請求項１又は２に記載の装置。
【請求項４】
携帯電話画面表示処理ユニットを含む携帯電話の画面輝度制御装置であって、
前記携帯電話画面表示処理ユニットに接続される携帯電話の画面輝度制御ユニットを含み、
前記携帯電話の画面輝度制御ユニットは、
携帯電話の画面光源と、
外部接続電源の入力電流強度を制御することによってＬＥＤ光源の輝度を調整するためのサイリスタ調光器と、
前記サイリスタ調光器を介して外部接続電源に接続され、入力外部接続電源を整流するための整流処理モジュールと、
前記整流処理モジュールに接続され、前記サイリスタ調光器の導通を維持するのに必要な陽極正方向電流を提供するための第一定電流コントロール処理モジュールと、
前記光源に接続され、前記光源と電解コンデンサー処理モジュールに定電流駆動を提供するための第二定電流コントロール処理モジュールと、
電解コンデンサーが前記光源と並列接続され、入力された母線電圧が光源の導通電圧の降下量を下回る場合、前記光源に給電する前記電解コンデンサー処理モジュールと、
前記光源と直列接続されてから、電解コンデンサーと並列接続され、前記光源に給電する時に、前記光源に定電流駆動を提供する第三定電流コントロール処理モジュールとを含むことを特徴とする携帯電話の画面輝度制御装置。
【請求項５】
前記電解コンデンサー処理モジュールは、電解コンデンサーと整流ダイオードを含み、
前記整流ダイオードの陽極が前記整流処理モジュールの非反転出力端に接続され、前記整流ダイオードの陰極が前記電解コンデンサーの正極に接続され、かつ、前記整流ダイオードの陰極は第三定電流コントロール処理モジュールにも接続されることを特徴とする請求項４に記載の装置。
【請求項６】
前記第一定電流コントロール処理モジュールは、第一定電流コントローラと第一サンプリング抵抗を含み、
前記第二定電流コントロール処理モジュールは、第二定電流コントローラと第二サンプリング抵抗を含み、
前記第一定電流コントローラは、一端が前記整流処理モジュールの非反転出力端及び前記整流ダイオードの陽極に接続され、他端が接地され、かつ、前記第一定電流コントローラの制御端Ａが前記第一サンプリング抵抗と前記第二サンプリング抵抗により接地され、前記第一サンプリング抵抗がＣ点により前記第二サンプリング抵抗に接続され、
前記第二定電流コントローラは、一端が前記光源の陰極及び前記電解コンデンサーの負極に接続され、他端が接地され、かつ、
前記第二定電流コントローラは、制御端Ｂが第二抵抗により接地されることを特徴とする請求項５に記載の装置。
【請求項７】
前記第三定電流コントロール処理モジュールは、第三定電流コントローラと第三サンプリング抵抗を含み、
前記第三定電流コントローラは、一端が前記整流ダイオードの陰極に接続され、他端が前記光源の陽極に接続され、かつ、
前記第三定電流コントローラは、制御端Ｄが前記第三サンプリング抵抗により前記光源の陽極に接続されることを特徴とする請求項５に記載の装置。
【請求項８】
前記第二サンプリング抵抗の抵抗値が前記第三サンプリング抵抗の抵抗値を下回ることを特徴とする請求項７に記載の装置。
【請求項９】
前記整流処理モジュールがブリッジ整流器であることを特徴とする請求項４−８のいずれか一項に記載の装置。
【請求項１０】
外部接続電源に接続される入力制御スイッチを含むことを特徴とする請求項４に記載の電気回路。
【発明の詳細な説明】
【技術分野】
【０００１】
本発明は、携帯電話画面の技術分野に関し、より具体的に、携帯電話の画面輝度制御装置に関する。
【背景技術】
【０００２】
携帯電話の画面は、スマホの登場に伴い、携帯電話の最も重要な構成部品になっている。通常の状況では、異なる使用環境において、具体的な状況によって画面輝度を調節する必要がある。例えば、薄暗い環境下では、携帯電話画面の輝度を増やす必要がある。又は、強光の下では、携帯電話の輝度を高く調節することによって、ユーザの閲覧を便利にする必要がある。但し、現有技術において、携帯電話の画面の輝度を調節したり、切り替えたりする時に、点滅を生じる可能性があるので、長期に渡って使用すると、ユーザの健康に不利な影響を与える。どのように携帯電話の輝度を便利に調節するかは、業界に直面する問題である。
【発明の概要】
【発明が解決しようとする課題】
【０００３】
前記問題に鑑みて、本発明の実施形態は、前記問題を部分的又は全般的に解決する携帯電話の画面輝度制御装置を提供することによって、スイッチ切り換え状態における携帯電話画面の点滅問題を解決し、且つ、電気回路の高力率を実現する。さらに、調整を実現し易く、電気回路構造が簡単で、コストが低い。
【課題を解決するための手段】
【０００４】
前記の技術問題を解決する為に、本発明で下記の技術案を採用する。
【０００５】
本発明の実施形態に基づく携帯電話の画面輝度制御装置は、携帯電話の画面光源と、整流処理モジュールと、サイリスタ調光器と、第一定電流コントローラと、第二定電流コントローラと、第三定電流コントローラと、電解コンデンサーと、整流ダイオードと、第一サンプリング抵抗と、第二サンプリング抵抗と第三サンプリング抵抗とを含み、前記整流処理モジュールが前記サイリスタ調光器を介して外部接続電源に接続され、前記整流処理モジュールの非反転出力端が前記第一定電流コントローラの一端及び前記整流ダイオードの陽極に接続され、前記整流処理モジュールの反転出力端が前記第一定電流コントローラの他端に接続されてから接地され、前記第一定電流コントローラの制御端Ａが前記第一サンプリング抵抗と第二サンプリング抵抗により接地され、前記第一サンプリング抵抗がＣ点により前記第二サンプリング抵抗に接続され、前記整流ダイオードの陰極が前記第三定電流コントローラの一端及び前記第一電解コンデンサーの正極に接続され、前記第三定電流コントローラの他端が前記光源の陽極に接続され、かつ、前記第三定電流コントローラの制御端Ｄが第三抵抗により前記光源の陽極に接続され、前記電解コンデンサーの負極が前記光源の陰極及び前記第二定電流コントローラの一端に接続され、前記第二定電流コントローラの他端が接地され、かつ、前記第二定電流コントローラの制御端Ｂが第二サンプリング抵抗により接地され、前記第一定電流コントローラの制御端は、Ａ点の電圧がＣ点の電圧を上回る場合、前記第一定電流コントローラを導通することによって、前記サイリスタ調光器の導通を維持するのに必要な陽極正方向電流を提供し、整流後の母線電圧が前記光源の導通電圧の降下量を下回る場合、前記電解コンデンサーが前記光源に給電する。
【０００６】
さらに、本発明の実施形態に基づく携帯電話の画面輝度制御装置は、携帯電話の画面光源と、外部接続電源の入力電流強度を制御することによってＬＥＤ光源の輝度を調整するためのサイリスタ調光器と、前記サイリスタ調光器を介して外部接続電源に接続され、入力外部接続電源を整流するための整流処理モジュールと、前記整流処理モジュールに接続され、前記サイリスタ調光器の導通を維持するのに必要な陽極正方向電流を提供するための第一定電流コントロール処理モジュールと、前記光源に接続され、前記光源と電解コンデンサー処理モジュールに定電流駆動を提供するための第二定電流コントロール処理モジュールと、電解コンデンサーが前記光源と並列接続され、入力された母線電圧が光源の導通電圧の降下量を下回る場合、前記光源に給電する前記電解コンデンサー処理モジュールと、前記光源と直列接続されてから、電解コンデンサーと並列接続され、前記光源に給電する時に、前記光源に定電流駆動を提供する第三定電流コントロール処理モジュールとを含む。
【発明の効果】
【０００７】
本発明の実施形態に基づく携帯電話の画面輝度制御装置は、携帯電話の画面光源を提供する光源と、外部接続電源の入力電流強度を制御することによってＬＥＤ光源の輝度を調整するためのサイリスタ調光器と、前記サイリスタ調光器を介して外部接続電源に接続され、入力外部接続電源を整流するための整流処理モジュールと、前記整流処理モジュールに接続され、前記サイリスタ調光器の導通を維持するのに必要な陽極正方向電流を提供するための第一定電流コントロール処理モジュールと、前記光源に接続され、前記光源と電解コンデンサー処理モジュールに定電流駆動を提供するための第二定電流コントロール処理モジュールと、電解コンデンサーが前記光源と並列接続され、入力された母線電圧が光源の導通電圧の降下量を下回る場合、前記光源に給電する前記電解コンデンサー処理モジュールと、前記光源と直列接続されてから、電解コンデンサーと並列接続され、前記光源に給電する時に、前記光源に定電流駆動を提供する第三定電流コントロール処理モジュールとを含む。第一定電流コントロール処理モジュールにより前記サイリスタ調光器の導通を維持するのに必要な陽極正方向電流を提供できる為、サイリスタ調光器に、次のサイクルの起動時に、速く起動させ、スイッチ切り換え状態における携帯電話画面の点滅問題を解決し、且つ、サイリスタ調光器の高速導通により、電気回路の有効電力を向上させるので、電気回路の高力率を実現し、調整を実現し易く、その上、電気回路構造が簡単で、コストが低い。
【０００８】
更に、電解コンデンサー処理モジュールの電解コンデンサーで携帯電話画面のストロボ成分を除去することによって、ストロボ現象を避けると共に、作動入力電圧の範囲を広げることができる。携帯電話画面光源に対して、整流後の母線電圧が携帯電話画面光源の導通電圧の降下量を下回る場合、引き続き動作状態を保持させ、更に、電解コンデンサー処理モジュールが携帯電話画面光源に給電する時に、第三定電流コントロール処理モジュールにより、電解コンデンサーが携帯電話画面光源に給電する電流を安定に保持し、光強度を更に増加させることができる。
【図面の簡単な説明】
【０００９】
【図１】図１は、本発明の実施形態に基づく携帯電話の画面輝度制御装置における整流後の電解コンデンサーの母線電圧波形図である。
【図２】図２は、本発明の第一実施形態に基づく携帯電話の画面輝度制御装置の電気回路構造の模式図である。
【発明を実施するための形態】
【００１０】
本発明の実施形態又は現有技術の技術案をより明確に説明する為に、次に実施形態又は現有技術の説明に使用する必要な図面を簡単に紹介する。明らかなことは、以下で説明する図面は本発明に記載されている幾つかの実施形態に過ぎない。当業者にとって、これらの図面によってその他の図面を取得することができる。
次に、本発明の実施形態における図面に基づき、本発明の実施形態又は現有技術の技術案をより明確且つ完全に説明する。
【実施例１】
【００１１】
図１は、図面に示されるように、本発明の実施形態に基づく携帯電話の画面輝度制御装置における整流後の電解コンデンサーの母線電圧波形図である。
【００１２】
図示のように、本実施形態における整流された母線電圧波形は非正弦波である。具体的には、本実施例において、サイリスタ調光器がｔ１時点で導通し、ｔ２時点でオフになり、その一方で、その次のサイクルにおけるｔ３時点でサイリスタ調光器が再度導通し、このようにサイクルを繰り返す。その中で、ｔ２とｔ３との間隔範囲内において、前記電解コンデンサーが前記携帯電話画面光源（例えば、ＬＥＤ光源）に給電する。即ち、ｔ２とｔ３との間隔範囲内においては、携帯電話画面光源（例えば、ＬＥＤ光源）が点灯を維持できる。ここでは贅言を要しない。
【００１３】
図２は、図面に示されるように、本発明の第一実施形態に基づく携帯電話の画面輝度制御装置の電気回路構造の模式図である。
【００１４】
本実施形態において、線形単列調光ストロボ無し調光の応用方式を適用する。具体的に実施する時に、本実施形態は、サイリスタ調光器により携帯電話の画面光源の輝度を制御する。一つの具体的な実施形態としては、整流処理モジュールにブリッジ整流器ＢＲ１を採用し、更に、入力電源の制御を便利にする為に、電源スイッチを含んでも良い。具体的に、本実施形態は、携帯電話の画面バックライトに採用されるＬＥＤ光源を例として説明する。
【００１５】
本実施形態における携帯電話の画面輝度制御装置は、主に下記の構造部品を含み、即ち、電源スイッチＳ０、サイリスタ調光器ＢＧ１、ブリッジ整流器ＢＲ１、整流ダイオードＶＤ１、電解コンデンサーＣ１、三つのＬＥＤ定電流コントローラ、ＬＥＤ定電流コントローラ１（即ち、第一ＬＥＤ定電流コントローラ）、ＬＥＤ定電流コントローラ２（即ち、第二ＬＥＤ定電流コントローラ）、ＬＥＤ定電流コントローラ３（即ち、第三ＬＥＤ定電流コントローラ）、サンプリング抵抗Ｒ１、Ｒ２とＲ３（即ち、第一サンプリング抵抗、第二サンプリング抵抗と第三サンプリング抵抗）、ＬＥＤ光源（実際には、ＬＥＤ光源が少なくとも一つのＬＥＤバルブを含み、一つの例として、本実施形態のＬＥＤ光源が三つのＬＥＤバルブを含むＬＥＤライトであり、実際には、その他の数量のＬＥＤバルブから構成されるＬＥＤライトであっても良く、ここで具体に限定しない）を含む。
【００１６】
また、具体的な電気回路においては、各構造部品間の接続関係は下記の通りである。ブリッジ整流器ＢＲ１は電源スイッチＳ０とサイリスタ調光器ＢＧ１を介して外部接続給電電源に接続され、ブリッジ整流器ＢＲ１の非反転出力端がＬＥＤ定電流ドライバー１の一端及び整流ダイオードＶＤ１の陽極に接続され、ブリッジ整流器ＢＲ１の反転出力端がＬＥＤ定電流ドライバー１の他端に接続されてから接地され、前記ＬＥＤ定電流ドライバー１の制御端Ａが、抵抗Ｒ１とＲ２により接地される。整流ダイオードＶＤ１の陰極がＬＥＤ定電流コントローラ３の一端に接続され、かつ、整流ダイオードＶＤ１の陰極が電解コンデンサーＣ１の正極に接続される。ＬＥＤ定電流コントローラ３の制御端Ｄが抵抗Ｒ３によりＬＥＤ定電流コントローラ３の他端に接続され、かつ、ＬＥＤ定電流コントローラ３の他端がＬＥＤ光源の陽極に接続され、ＬＥＤ光源の陰極が電解コンデンサーＣ１の負極に接続され、かつ、ＬＥＤ光源の陰極がＬＥＤ定電流コントローラ２の一端に接続され、ＬＥＤ定電流コントローラ２のＢ端が抵抗Ｒ２により接地され、かつ、ＬＥＤ定電流コントローラ２の他端も接地される。
【００１７】
次に、本実施形態におけるＬＥＤライト調光制御回路の作動プロセスを詳細に説明する。
電源スイッチがオンになる場合、Ｔ１サイクルにおいて、サイリスタ調光器ＢＧ１を調整してｔ１時点で導通をオンにするようにし、かつ、電解コンデンサーＣ１が母線により充電され、母線電圧Ｖｉｎ＞ＶＬＥＤライトの場合（即ち、母線電圧がＬＥＤ光源の導通電圧の降下量を上回る場合）、ＬＥＤ光源が点灯する。この期間においては、電解コンデンサーＣ１が持続して充電され、この時に、ＬＥＤ定電流コントローラ１が制御端Ａ点の電圧を測定し、Ａ点電圧がＣ点電圧を下回る場合、ＬＥＤ定電流コントローラ１がオフになり、ＬＥＤ定電流コントローラ２とＬＥＤ定電流ドライバー３がＬＥＤ光源を駆動し、ＬＥＤ光源電流を制御する。この時、ＬＥＤ光源に流れる電流がＩＬＥＤライト’＝Ｖｔｈ／Ｒ３であり、ＬＥＤ光源と電解コンデンサーを流れる電流Ｃ１がＩＬＥＤライト’＝Ｖｔｈ／Ｒ２である。母線電圧Ｖｉｎ＜ＶＬＥＤライトの場合（即ち、母線電圧がＬＥＤ光源の導通電圧の降下量を下回る場合）、電解コンデンサーＣ１がＬＥＤ光源に給電し、ＬＥＤ定電流コントローラ３がＬＥＤ光源を駆動し、且つ、ＬＥＤ光源の必要な電流を提供する。電流は次のとおりである。ＩＬＥＤライト’＝Ｖｔｈ／Ｒ３（本実施例において、Ｒ２＜Ｒ３である）。次のサイクルで母線電圧Ｖｉｎ＞ＶＬＥＤライトになるまで、電解コンデンサーＣ１がＬＥＤ光源に、必要な電流を提供する。
【００１８】
更に、Ｔ１サイクルにおいて、ＬＥＤ定電流コントローラ１が制御端Ａ点の電圧を測定し、Ａ点電圧がＣ点電圧を上回る場合、ＬＥＤ定電流コントローラ１がオンになり、ＬＥＤ定電流コントローラ２がオフになり、ｔ２時点でサイリスタ調光器ＢＧ１がオフになるように制御し、ＬＥＤ定電流コントローラ１が、サイリスタ調光器ＢＧ１の導通を維持するのに必要な陽極正方向電流を提供する。Ｔ２サイクルにおいて、サイリスタ調光器ＢＧ１がｔ３時点で、再度導通する。電解コンデンサーＣ１が母線により充電され、かつ、ＬＥＤ定電流コントローラ１が制御端Ａ点の電圧を測定し、Ａ点電圧がＣ点電圧を下回る場合、ＬＥＤ定電流コントローラ１がオフになり、母線電圧Ｖｉｎ＞ＶＬＥＤライトの場合（即ち、母線電圧がＬＥＤ光源の導通電圧の降下量を上回る場合）、ＬＥＤ光源が点灯する。この時、ＬＥＤ光源が給電電源により給電される。後続の制御プロセスは、上記の制御プロセスを繰り返すが、ここでは贅言を要しない。
【００１９】
要するに、本実施形態における携帯電話の画面輝度制御装置は、ＬＥＤ定電流コントローラ１により前記サイリスタ調光器の導通を維持するための陽極正方向電流を提供する。これで、サイリスタ調光器に、次のサイクルの起動時に、速く起動させ、スイッチ切り換え状態における携帯電話画面光源（即ち、ＬＥＤライト）の点滅問題を解決し、且つ、サイリスタ調光器の高速導通により、電気回路の有効電力が向上するので、電気回路の高力率を実現し、調整を実現し易く、その上、電気回路構造が簡単で、コストが低い。更に、電解コンデンサーＣ１で携帯電話画面光源のストロボ成分を除去することによって、ストロボ現象を避けると共に、作動入力電圧の範囲を広げることができる。携帯電話画面光源（即ち、ＬＥＤ光源）に、整流された母線電圧が携帯電話画面光源（即ち、ＬＥＤ光源）の導通電圧の降下量を下回る場合に、引き続き動作状態を保持させ、更に、電解コンデンサーＣ１が携帯電話画面光源（即ち、ＬＥＤ光源）に給電する時に、ＬＥＤ定電流コントローラ３により、電解コンデンサーによる電話画面光源（即ち、ＬＥＤ光源）への給電時間を延長させ、光強度を更に増加させる。
【図１】
2018107101.tif 000003
【図２】
2018107101.tif 000004
【外国語明細書】
2018107101000001.pdf